(57)【要約】【課題】簡単に焦点を合わせられると共に煽り角度も調整でき、且つ軽量でシンプルな構造の立体視ルーペを提供すること。【解決手段】本発明は、一対のレンズ１と、それらを連結する弾性細線５とからなる立体視ルーペ１０であって、弾性細線５がＶ字状であり、一対のレンズ１が互いの内側の内側部３でそれぞれ弾性細線５に固定されている立体視ルーペ１０である。【選択図】図１
2013097213.tif 000002
【特許請求の範囲】
【請求項１】
一対のレンズと、それらを連結する弾性細線とからなる立体視ルーペであって、
前記弾性細線がＶ字状であり、
前記一対のレンズが互いの内側の内側部でそれぞれ前記弾性細線に固定されている立体視ルーペ。
【請求項２】
前記弾性細線が当接部を有し、
該当接部が、前記レンズの前記内側部に形成された直線状の側壁部に圧接されている請求項１記載の立体視ルーペ。
【請求項３】
前記弾性細線が前記当接部の先に屈曲した屈曲部を有し、
該屈曲部が前記レンズに形成された小穴に嵌入されている請求項２記載の立体視ルーペ。
【請求項４】
前記レンズ間の距離を調整する幅調整具が前記弾性細線に取り付けられている請求項１〜３のいずれか１項に記載の立体視ルーペ。
【請求項５】
前記幅調整具が、前記弾性細線をスライド可能となっており、
前記弾性細線には、前記幅調整具を仮固定するための止め溝が設けられている請求項４記載の立体視ルーペ。
【請求項６】
前記幅調整具が、前記弾性細線をスライド可能となっており、
該幅調整具がスライドする前記弾性細線のスライド部が前記弾性細線の他の部位よりも太径になっている請求項４又は５に記載の立体視ルーペ。
【発明の詳細な説明】
【技術分野】
【０００１】
本発明は、立体視ルーペに関し、更に詳しくは、簡単に焦点を合わせられると共に煽り角度も調整でき、且つ軽量でシンプルな構造の立体視ルーペに関する。
【背景技術】
【０００２】
従来から、双眼視で目標物を拡大して見るための２枚のレンズを備えた立体視ルーペが知られている。
一般の立体視ルーペは、２枚のレンズが重なって配置されており、一方を水平移動させ開いた状態で用いられる。
【０００３】
ところが、この場合、一方側のレンズと他方側のレンズとでは、段差を有するため、目標物に対する距離感が相違し、レンズの焦点位置が一致しないという欠点がある。
これに対し、焦点距離補正ガラスを一方側のレンズに配置して、焦点位置を延ばし、左右のレンズの焦点位置を一致させるルーペが開発されている（例えば、特許文献１参照）。
【先行技術文献】
【特許文献】
【０００４】
【特許文献１】特開２００９−６９７２２号公報
【発明の概要】
【発明が解決しようとする課題】
【０００５】
しかしながら、上記特許文献１記載のルーペは、２枚のレンズの他に、焦点距離補正ガラスを必要とするため構造が複雑となりコストも高い。
また、焦点距離補正ガラスを引き出して調整し焦点を合わせる手間が必要となる。
また、レンズが固定されているので、煽り角度を調整できない欠点がある。
さらに、焦点距離補正ガラスを備えるので、重量も大きくなってしまう。
【０００６】
本発明は、上記事情に鑑みてなされたものであり、簡単に焦点を合わせられると共に煽り角度も調整でき、且つ軽量でシンプルな構造の立体視ルーペを提供することを目的とする。
【課題を解決するための手段】
【０００７】
本発明者は、上記課題を解決するため鋭意検討したところ、一対のレンズを互いの内側部で弾性細線に固定することにより、意外にも、上記課題を解決できることを見出し、本発明を完成させるに至った。
【０００８】
本発明は、（１）一対のレンズと、それらを連結する弾性細線とからなる立体視ルーペであって、弾性細線がＶ字状であり、一対のレンズが互いの内側の内側部でそれぞれ弾性細線に固定されている立体視ルーペに存する。
【０００９】
本発明は、（２）弾性細線が当接部を有し、該当接部が、レンズの内側部に形成された直線状の側壁部に圧接されている上記（１）記載の立体視ルーペに存する。
【００１０】
本発明は、（３）弾性細線が当接部の先に屈曲した屈曲部を有し、該屈曲部がレンズに形成された小穴に嵌入されている上記（２）記載の立体視ルーペに存する。
【００１１】
本発明は、（４）レンズ間の距離を調整する幅調整具が弾性細線に取り付けられている上記（１）〜（３）のいずれか１つに記載の立体視ルーペに存する。
【００１２】
本発明は、（５）幅調整具が、弾性細線をスライド可能となっており、弾性細線には、幅調整具を仮固定するための止め溝が設けられている上記（４）記載の立体視ルーペに存する。
【００１３】
本発明は（６）幅調整具が、弾性細線をスライド可能となっており、該幅調整具がスライドする弾性細線のスライド部が弾性細線の他の部位よりも太径になっている上記（４）又は（５）に記載の立体視ルーペに存する。
【発明の効果】
【００１４】
本発明の立体視ルーペにおいては、レンズを、該レンズの内側部で弾性細線に固定された構造とすることにより、一対のレンズ間に段差が生じず、目標物と両レンズとの距離が同じになる。このため、焦点を合わせる作業が不要となり、操作が極めて簡単となる。
また、一対のレンズと、弾性細線とからなるので、軽量であり、構造も極めてシンプルなものとなる。
さらに、弾性細線の先にレンズが固定されているので、弾性細線を捻ることにより、レンズの煽り角度を容易に調整することができる。
さらにまた、弾性細線がＶ字状であるので、左右の弾性細線を指で摘むことにより、レンズ間の距離を調整し、使用者の双眼の瞳孔の位置に容易に合わせることができる。
【００１５】
本発明の立体視ルーペにおいては、弾性細線の当接部が、レンズの内側部に形成された側壁部に圧接されている場合、弾性細線とレンズとの連結性がより向上し、レンズ固定力がより安定する。
また、弾性細線が当接部の先に屈曲した屈曲部を有し、該屈曲部がレンズに形成された小穴に嵌入されている場合、煽り角度を調整するためにレンズを捻った場合であっても、レンズが弾性細線から外れることを抑制できる。
【００１６】
本発明の立体視ルーペにおいては、一対のレンズ間の距離を調整する幅調整具が弾性細線に取り付けられている場合、左右の弾性細線を指で摘んで、使用者の双眼の瞳孔の位置に合わせ、その位置でレンズ間の距離を仮固定することができる。
これにより、使用者の双眼の瞳孔の位置に合わせた状態で、双眼視で目標物を拡大して見ることができる。
このとき、幅調整具が、弾性細線をスライド可能となっており、弾性細線には、幅調整具を仮固定するための止め溝が設けられていることが好ましい。
この場合、段階的に、レンズ間の距離を調整でき、且つその位置で仮固定することができる。
また、幅調整具がスライドする弾性細線のスライド部が弾性細線の他の部位よりも太径になっている場合、スライドさせた位置で幅調整具を仮固定させやすくなる。
【図面の簡単な説明】
【００１７】
【図１】図１の（ａ）は、本発明に係る立体視ルーペの一実施形態を示す正面図であり、（ｂ）は、（ａ）のＡ−Ａ線断面図である。
【図２】図２の（ａ）は、本実施形態に係る立体視ルーペの弾性細線を示す正面図であり、（ｂ）は、その側面図である。
【図３】図３は、本実施形態に係る立体視ルーペの弾性細線とレンズとの連結部分を示す拡大図である。
【図４】図４の（ａ）及び（ｃ）は、本実施形態に係る立体視ルーペにおいて、レンズを弾性細線に取り付ける際の煽り角度の調整状態を示す概略図であり、（ｂ）は、（ａ）のレンズを取り外した屈曲部を示す拡大概略図であり、（ｄ）は、（ｃ）のレンズを取り外した屈曲部を示す拡大概略図である。
【図５】図５は、本実施形態に係る立体視ルーペの幅調整具を示す側面図である。
【図６】図６は、本実施形態に係る立体視ルーペにおいて、幅調整具をスライドさせた状態を示す正面図である。
【図７】図７の（ａ）は、本実施形態に係る立体視ルーペを示す部分側面図であり、（ｂ）及び（ｃ）は、他の実施形態に係る立体視ルーペを示す部分側面図である。
【発明を実施するための形態】
【００１８】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００１９】
図１の（ａ）は、本発明に係る立体視ルーペの一実施形態を示す正面図であり、（ｂ）は、（ａ）のＡ−Ａ線断面図である。
図１の（ａ）に示すように、本実施形態に係る立体視ルーペ１０は、一対のレンズ１と、それらを連結する弾性細線５とを有する。
また、弾性細線５には、一対のレンズ１間の距離Ｈ１を調整する幅調整具７が取り付けられている。
すなわち、立体視ルーペ１０は、一対のレンズ１と、弾性細線５と、幅調整具７とからなる。
このため、立体視ルーペ１０は、軽量であり、構造も極めてシンプルなものとなる。
【００２０】
一対のレンズ１は、左側の左レンズ１ａと、右側の右レンズ１ｂとからなり、左レンズ１ａと右レンズ１ｂとは左右対称となっている。
左レンズ１ａ又は右レンズ１ｂは、凸レンズからなる本体部２と、該本体部２の内側に正面視で三角形状の内側部３とからなる。
すなわち、左レンズ１ａは、本体部２の右レンズ１ｂ側に内側部３が形成されており、右レンズ１ｂは、本体部２の左レンズ１ａ側に内側部３が形成されている。
なお、内側部３は、レンズ１としての機能を有しない。
また、内側部３には、側壁が直線状になった側壁部３ａと、小穴３ｂとが形成されている。
【００２１】
図１の（ｂ）に示すように、立体視ルーペ１０においては、左レンズ１ａが内側部３で弾性細線５に固定された構造とし、右レンズ１ｂも同様な構造とすることにより、左レンズ１ａ及び右レンズ１ｂ間に段差が生じず、目標物と左レンズ１ａ及び右レンズ１ｂとの距離が同じになる。
このため、焦点を合わせる作業が不要となり、操作が極めて簡単となる。
【００２２】
図２の（ａ）は、本実施形態に係る立体視ルーペの弾性細線を示す正面図であり、（ｂ）は、その側面図である。
図２の（ａ）及び（ｂ）に示すように、弾性細線５は、正面視でＶ字状であり、取っ手部６ａと、該取っ手部６ａから二股状に延びる左側の左脚部５ａと、右側の右脚部５ｂとからなる。
なお、左脚部５ａと右脚部５ｂとは左右対称となっている。
左脚部５ａ又は右脚部５ｂは、スライド部６ｂと、スライド部６ｂに連続する当接部６ｃと、当接部６ｃの先に形成された屈曲した屈曲部６ｄとからなる。
【００２３】
弾性細線５は、Ｖ字状であるので、左右の弾性細線５の脚部（左脚部５ａ及び右脚部５ｂ）を指で摘むことにより、レンズ１間の距離を調整し、双眼の瞳孔の位置に容易に合わせることができる。
【００２４】
取っ手部６ａは、馬蹄状となっている。このため、摘み易く、左脚部５ａ及び右脚部５ｂを前後左右に動かしても、取っ手部６ａの変形が極力、抑制され、摘み安定性がある。
【００２５】
スライド部６ｂは、後述する幅調整具７がスライドする部位である。
スライド部６ｂは、取っ手部６ａ、当接部６ｃ及び屈曲部６ｄからなる弾性細線５の他の部位よりも太径になっている。
このため、スライド部６ｂは剛性が高まり曲がりにくく、且つ幅調整具７をスライドさせた位置で仮固定させ易くなっている。
また、スライド部６ｂには、幅調整具７を仮固定するための止め溝７ａが設けられている。
例えば、間隔を開けて複数の止め溝７ａを設け、幅調整具７をそれらの止め溝７ａに係止させることにより、段階的に、レンズ間の距離を調整でき、且つその位置で仮固定することができるようになっている。
【００２６】
図３は、本実施形態に係る立体視ルーペの弾性細線とレンズとの連結部分を示す拡大図である。
図３に示すように、弾性細線５の当接部６ｃは、直線状であり、レンズ１の内側部３に形成された直線状の側壁部３ａに部分的に圧接されるようになっている。
これに加え、屈曲部６ｄも、レンズ１の内側部３に形成された直線状の側壁部３ａに圧接されるようになっている。
さらに、屈曲部６ｄの先は、レンズ１に形成された小穴３ｂに嵌入されるようになっている。
すなわち、立体視ルーペ１０においては、当接部６ｃ及び屈曲部６ｄを側壁部３ａに圧接し、屈曲部６ｄの先を小穴３ｂに嵌入することにより、３点で弾性細線５とレンズ１とが連結性されている。
このため、仮に、屈曲部６ｄの先と小穴３ｂとの嵌入部分が上下方向にずれたとしても、他の２点が連結されているので、連結性が維持される。
【００２７】
立体視ルーペ１０においては、弾性細線５の先にレンズ１が固定されているので、使用時、弾性細線５を捻ることにより、レンズ１の煽り角度を容易に調整することができる。
【００２８】
図４の（ａ）及び（ｃ）は、本実施形態に係る立体視ルーペにおいて、レンズを弾性細線に取り付ける際の煽り角度の調整状態を示す概略図であり、（ｂ）は、（ａ）のレンズを取り外した屈曲部を示す拡大概略図であり、（ｄ）は、（ｃ）のレンズを取り外した屈曲部を示す拡大概略図である。
図４の（ａ）〜（ｄ）に示すように、立体視ルーペ１０においては、弾性細線５に対して、レンズ１の煽り角度を上下に調整することができる。
すなわち、弾性細線５の屈曲部６ｄの屈曲させる角度を変えることにより、レンズ１の煽り角度を調整することができる。
これにより、各個人に適した煽り角度を設定提供することができる。その結果、目標物Ａを光軸上に捉えることができるので、ぼやけずに正確に見ることが可能となる。
なお、上述したように、弾性細線５の当接部６ｃが、レンズ１の内側部３の側壁部３ａに圧接されており、弾性細線５の先端の屈曲部６ｄが、レンズ１の内側部３の側壁部３ａに圧接されており、屈曲部６ｄの先が、レンズ１の内側部３の小穴３ｂに嵌入されているので、煽り角度を調整した状態でレンズ１が弾性細線５に確実に固定されることになる。
【００２９】
図５は、本実施形態に係る立体視ルーペの幅調整具を示す側面図である。
図５に示すように、幅調整具７は、側面視でＣ字状となっている。
幅調整具７は、着脱自在であり、弾性細線５の取っ手部６ａから挿入可能となっている。
また、上述したように、弾性細線５のスライド部６ｂをスライドすると共に、止め溝７ａで仮固定されるようになっている。
【００３０】
図６は、本実施形態に係る立体視ルーペにおいて、幅調整具をスライドさせた状態を示す正面図である。
図６に示すように、立体視ルーペ１０においては、幅調整具７をスライドさせることにより、左レンズ１ａと右レンズ１ｂとの間の距離Ｈ２を縮めることができる。
これにより、図１に示す初めの状態の左レンズ１ａと右レンズ１ｂとの間の距離Ｈ１よりも、図６に示す左レンズ１ａと右レンズ１ｂとの間の距離Ｈ２が小さくなる。
したがって、幅調整具７を単にスライドさせることにより、使用者の双眼の瞳孔の位置に適宜合致させることができ、且つ、その位置で仮固定することができる。
すなわち、使用者が変わった場合であっても、その人の双眼の瞳孔の位置に合わせた状態で、双眼視で目標物を拡大して見ることができる。
【００３１】
以上、本発明の好適な実施形態について説明したが、本発明は上記実施形態に限定されるものではない。
【００３２】
例えば、本実施形態に係る立体視ルーペ１０は、幅調整具７を備えているが、必ずしも備えていなくてもよい。
例えば、左右の弾性細線を指で摘むことにより、双眼の瞳孔の位置に合わせることができる。
【００３３】
本実施形態に係る立体視ルーペ１０は、弾性細線５の当接部６ｃが、レンズ１の内側部３に形成された直線状の側壁部３ａに部分的に圧接されているが、弾性細線とレンズとを直線状に配置し、当接部を、レンズの内側部に形成された直線状の側壁部に全体的に圧接してもよい。
【００３４】
図７の（ａ）は、本実施形態に係る立体視ルーペを示す部分側面図であり、（ｂ）及び（ｃ）は、他の実施形態に係る立体視ルーペを示す部分側面図である。
図７の（ａ）に示す立体視ルーペ１０は、当接部６ｃに対して屈曲部６ｄが鋭角に設けられているのに対し、図７の（ｂ）に示す立体視ルーペ１１は、当接部６ｃに対して屈曲部６ｄが直角に設けられている。
このことにより、上述したように、弾性細線５とレンズ１とが直線状に配置されるので、当接部６ｃの全体を側壁部に圧接することができる。
その結果、弾性細線５とレンズ１との圧接強度がより向上する。
【００３５】
また、図７の（ｃ）に示す立体視ルーペ１２は、当接部６ｃに対して屈曲部６ｄが直角に設けられ、当接部６ｃとスライド部６ｂとの間が屈曲している。
この場合、弾性細線５とレンズ１との圧接強度がより向上すると共に、取っ手部６ａが手前にくるので、の立体視ルーペ１２を持ち易く、目標物に対する焦点も合わせ易い。
【産業上の利用可能性】
【００３６】
本発明は、双眼視で目標物を拡大して見るための２枚のレンズを備えた立体視ルーペとして用いられる。
本発明よれば、簡単に焦点を合わせられると共に煽り角度も調整でき、且つ軽量でシンプルな構造の立体視ルーペを提供することができる。
【符号の説明】
【００３７】
１・・・レンズ
１ａ・・・左レンズ
１ｂ・・・右レンズ
２・・・本体部
３・・・内側部
３ａ・・・側壁部
３ｂ・・・小穴
５・・・弾性細線
５ａ・・・左脚部
５ｂ・・・右脚部
６ａ・・・取っ手部
６ｂ・・・スライド部
６ｃ・・・当接部
６ｄ・・・屈曲部
７・・・幅調整具
７ａ・・・止め溝
１０，１１，１２・・・立体視ルーペ
Ａ・・・目標物
Ｈ１，Ｈ２・・・距離
【図１】
2013097213.tif 000003
【図２】
2013097213.tif 000004
【図３】
2013097213.tif 000005
【図４】
2013097213.tif 000006
【図５】
2013097213.tif 000007
【図６】
2013097213.tif 000008
【図７】
2013097213.tif 000009